(57)【要約】【課題】  ロック解除をして安全性が確保された状態で閉塞部材の閉成、もしくはスライド棚の格納を可能とし、家電器具の電子部品の劣化や損傷を回避する。【解決手段】  家電器具収納庫１は、収納部３と、給電部と、家電器具２の使用状態を検出する使用状態検出手段５とを備えると共に、閉塞部材６か、もしくはスライド棚７の、いずれかもしくは両方を備えている。閉塞部材６の開閉状態、もしくはスライド棚７の引き出し格納状態を検知する検知手段１２と、前記使用状態検出手段５による検出結果に基づいて、前記閉塞部材６の開成状態、もしくは、前記スライド棚７の引き出し状態を維持拘束させるロック手段８を備える。ロック状態からロック解除状態への移行に当たり、前記使用状態検出手段５の検出結果に基づいて前記閉塞部材６の閉成もしくはスライド棚７の格納を遅延して行えるようにロック手段８を制御する制御手段９を設ける。【選択図】        図１
2010131190.tif 000002
【特許請求の範囲】
【請求項１】
家電器具を収納する収納部と、収納部内に備えた家電器具に電力を供給する給電部と、家電器具の使用状態を検出する使用状態検出手段とを備えると共に、収納部を閉塞開放自在とする閉塞部材か、もしくは家電器具を載置し収納部と使用側手前位置との間で引き出し格納自在とするスライド棚の、いずれかもしくは両方を備え、閉塞部材の開閉状態、もしくはスライド棚の引き出し格納状態を検知する検知手段と、前記使用状態検出手段による検出結果に基づいて、前記閉塞部材の開成状態、もしくは、前記スライド棚の引き出し状態を維持拘束させるロック手段を備え、ロック状態からロック解除状態への移行に当たり、前記使用状態検出手段の検出結果に基づいて前記閉塞部材の閉成もしくはスライド棚の格納を遅延して行えるようにロック手段を制御する制御手段を設けて成ることを特徴とする家電器具収納庫。
【請求項２】
家電器具の運転状態を検出するか、もしくは収納部内の温度を検出するか、もしくは前記両方を検出判断する使用状態検出手段を設け、該使用状態検出手段による検出結果に基づいて、前述のロック手段を遅延して解除するタイミングが決められることを特徴とする請求項１記載の家電器具収納庫。
【請求項３】
使用状態検出手段が家電器具の運転電流を検出するものであることを特徴とする請求項１記載の家電器具収納庫。
【請求項４】
家電器具の電流値が微小又は零となるとロック手段によるロック解除を行うことを特徴とする請求項３記載の家電器具収納庫。
【請求項５】
使用状態検出手段が収納部内の雰囲気温度もしくは家電器具の温度を検出するものであることを特徴とする請求項１記載の家電器具収納庫。
【請求項６】
前記閉塞部材の閉成、もしくはスライド棚の格納時に家電器具への通電を維持するか、もしくは閉塞部材の閉成もしくはスライド棚の格納時点から遅延させて、前記給電部に対して家電器具への通電遮断を行う通電開閉手段を備えたことを特徴とする請求項１記載の家電器具収納庫。
【請求項７】
収納部の排気をするための排気ファンを設け、閉塞部材の閉成、もしくはスライド棚を格納した時点における収納部内の温度により、排気ファンを運転停止させることを特徴とする請求項１乃至請求項６のいずれか一項に記載の家電器具収納庫。
【請求項８】
閉塞部材の閉成、もしくはスライド棚を格納後、家電器具への通電遮断をした時点で、通電遮断を報知することを特徴とする請求項１乃至請求項７のいずれか一項に記載の家電器具収納庫。
【請求項９】
家電器具への通電遮断をした場合、再び、閉塞部材の開成、もしくはスライド棚を引き出したときに通電遮断を報知することを特徴とする請求項８記載の家電器具収納庫。
【請求項１０】
ロック状態からロック解除状態になったことを報知することを特徴とする請求項１乃至請求項９のいずれか一項に記載の家電器具収納庫。
【請求項１１】
閉塞部材が所定以上の開成状態であるか、もしくはスライド棚が所定以上の引き出し状態であることを検知した後、使用状態検出手段が所定の状態を検知した時点でロックを行うことを特徴とする請求項１乃至請求項１０のいずれか一項に記載の家電器具収納庫。
【請求項１２】
スライド棚の格納を検知する手段として、スライド棚が格納された状態の家電器具の存在を検知する手段であることを特徴とする請求項１乃至請求項１１のいずれか一項に記載の家電器具収納庫。
【発明の詳細な説明】
【技術分野】
【０００１】
本発明は、電子レンジやオーブントースター等の家電器具を収納する家電器具収納庫に関するものである。
【背景技術】
【０００２】
従来から、電子レンジやオーブントースター等の発熱機能を備えた家電器具を収納する家電器具収納庫が特許文献１により知られている。
【０００３】
この特許文献１に示された家電器具収納庫は、家電器具を収納する収納部と、該収納部内に備えた家電器具に電力を供給する電源コンセントと、収納部の開口を開閉するシャッターと、シャッターの閉鎖を阻止しうるストッパとを備えている。
【０００４】
そして、上記特許文献１においては、家電器具が使用されている場合で、シャッターが開放している場合には、ストッパを作動させてシャッターの進路に進入させることでシャッターの閉鎖を阻止し、家電器具を使用していない場合はストッパの作動を停止して解除しシャッターを閉成可能状態とするようになっている。
【０００５】
しかしながら、上記従来例にあっては、家電器具が非使用となると同時にストッパが解除されるものであるから、以下のような問題点がある。
【０００６】
例えば、家電器具における加熱運転が終了して非使用となった時点でストッパが直ちに解除されてシャッターを閉じることができる状態となるので、家電器具における加熱運転が終了した直後にシャッターを閉じると、高温状態の家電器具がシャッターが閉じられて密閉状態となった収納部に収納されてしまい、収納部内に熱がこもって、家電器具の廃熱冷却が行われず、電気器具の電気部品にダメージを与える等の重大な弊害をもたらすものとなる。また、収納部内の廃熱冷却にも時間がかかり、周囲の収納部品への熱影響が大きく、家電器具収納庫全体の使い勝手がきわめて劣るものである。
【特許文献１】特開２００７−３２５８０２号公報
【発明の開示】
【発明が解決しようとする課題】
【０００７】
本発明は上記の従来の問題点に鑑みて発明したものであって、家電器具を安全に使用でき、また、ロック解除をして安全性が確保された状態で閉塞部材の閉成、もしくはスライド棚の格納を可能とし、家電器具の電子部品の劣化や損傷を回避し、また、収納部内の温度が常温に戻る時間を短縮できる家電器具収納庫を提供することを課題とするものである。
【課題を解決するための手段】
【０００８】
本発明に係る家電器具収納庫１は、家電器具２を収納する収納部３と、収納部３内に備えた家電器具２に電力を供給する給電部４と、家電器具２の使用状態を検出する使用状態検出手段５とを備えると共に、収納部３を閉塞開放自在とする閉塞部材６か、もしくは家電器具２を載置し収納部３と使用側手前位置との間で引き出し格納自在とするスライド棚７の、いずれかもしくは両方を備えている。本発明の特徴は、上記閉塞部材６の開閉状態、もしくはスライド棚７の引き出し格納状態を検知する検知手段１２と、前記使用状態検出手段５による検出結果に基づいて、前記閉塞部材６の開成状態、もしくは、前記スライド棚７の引き出し状態を維持拘束させるロック手段８を備え、ロック状態からロック解除状態への移行に当たり、前記使用状態検出手段５の検出結果に基づいて前記閉塞部材６の閉成もしくはスライド棚７の格納を遅延して行えるようにロック手段８を制御する制御手段９を設けて成ることを特徴とすることにある。
【０００９】
このような構成とすることで、閉塞部材６の開成、もしくはスライド棚７の引き出し状態で、家電器具２を加熱運転して使用すると、ロック手段８により、閉塞部材６の開成状態、もしくは、前記スライド棚７の引き出し状態を維持拘束し、家電器具２の使用中に誤って閉塞部材６を閉成、もしくはスライド棚７の格納ができないようにして安全性を確保するようになっている。また、ロック状態からロック解除状態への移行に当たり、前記使用状態検出手段５の検出結果に基づいて閉塞部材６の閉成もしくはスライド棚７の格納を遅延して行えるようにロック手段８を制御することで、家電器具２の加熱運転の終了直後に閉塞部材６の閉成、もしくはスライド棚７の格納ができないようにし、閉塞部材６の閉成、もしくはスライド棚７の格納をしても安全であるという状況になってはじめてロック手段８によるロックを解除して閉塞部材６の閉成、もしくはスライド棚７の格納が可能となり、安全性を確保できる。
【００１０】
また、家電器具２の運転状態を検出するか、もしくは収納部３内の温度を検出するか、もしくは前記両方を検出判断する使用状態検出手段５を設け、該使用状態検出手段５による検出結果に基づいて、前述のロック手段８を遅延して解除するタイミングが決められることが好ましい。
【００１１】
このような構成とすることで、家電器具２の使用状態もしくは収納部３内の温度状態に応じて最も好ましいロック手段８の解除するタイミングを決めることができる。
【００１２】
また、使用状態検出手段５が家電器具２の運転電流を検出するものであることが好ましい。
【００１３】
このような構成とすることで、家電器具２の運転電流の検出により簡単且つ確実に家電器具２の運転状態を検出して家電器具２の運転状態に応じた最も好ましいロック解除のタイミングを決めることができる。
【００１４】
また、家電器具２の電流値が微小又は零となるとロック手段８によるロック解除を行うことが好ましい。
【００１５】
遅延してロック解除するに当って、ロック解除のタイミングを、電流値が微小又は零となる時点で行うことで、簡単に安全性を確保してロック解除を行うことができる。
【００１６】
また、使用状態検出手段５が収納部３内の雰囲気温度もしくは家電器具２の温度を検出するものであることが好ましい。
【００１７】
このような構成とすることで、収納部３内の雰囲気温度もしくは家電器具２の温度により簡単且つ確実に家電器具２の運転状態を検出して家電器具２の運転状態に応じた最も好ましいロック解除のタイミングを決めることができる。
【００１８】
また、前記閉塞部材６の閉成、もしくはスライド棚７の格納時に家電器具２への通電を維持するか、もしくは閉塞部材６の閉成もしくはスライド棚７の格納時点から遅延させて、前記給電部４に対して家電器具２への通電遮断を行う通電開閉手段１０を備えることが好ましい。
【００１９】
このような構成とすることで、ロック解除後に、例えば、家電器具２の冷却用ファン１１等の運転を継続したまま、閉塞部材６の閉成、あるいはスライド棚７の格納をして、家電器具２を効果的に冷却できる。
【００２０】
また、収納部３の排気をするための排気ファン１６を設け、閉塞部材６の閉成、もしくはスライド棚７を格納した時点における収納部３内の温度により、排気ファン１６を運転停止させることが好ましい。
【００２１】
このような構成とすることで、ロック解除後に、閉塞部材６を閉成、もしくはスライド棚７を格納した時点で、収納部３内の温度が所定温度より高い場合は、排気ファン１６を運転して収納部３内の温度を素早く低下させることができ、一方、閉塞部材６を閉成、もしくはスライド棚７を格納した時点で、収納部３内の温度が所定温度よりも低い場合は、排気ファン１６の運転を行わず、排気ファン１６の不必要な運転をしないようにする。
【００２２】
また、閉塞部材６の閉成、もしくはスライド棚７を格納後、家電器具２への通電遮断をした時点で、通電遮断を報知することが好ましい。
【００２３】
このような構成とすることで、通電遮断により閉塞部材６の閉成、もしくはスライド棚７を引き出した時点で”電気器具２が使えない”状態であることを報知できる。
【００２４】
家電器具２への通電遮断をした場合、再び、閉塞部材６の開成、もしくはスライド棚７を引き出したときに通電遮断を報知することが好ましい。
【００２５】
このような構成とすることで、閉塞部材６を開成、もしくはスライド棚７を引き出して、家電器具２の使用再開をする場合に、通電復帰を促すことができる。
【００２６】
また、ロック状態からロック解除状態になったことを報知することが好ましい。
【００２７】
このような構成とすることで、収納部３への家電器具２の収納が可能な安全状態になったことを報知でき、使い勝手がよくなる。
【００２８】
また、閉塞部材６が所定以上の開成状態であるか、もしくはスライド棚７が所定以上の引き出し状態であることを検知した後、使用状態検出手段５が所定の状態を検知した時点でロックを行うことが好ましい。
【００２９】
このような構成とすることで、閉塞部材６が所定以上の開成状態であるか、もしくはスライド棚７が所定以上の引き出し状態となり、使用状態検出手段５が所定の状態を検知（例えば電流値が高くなったことを検知）すると自動的にロックを行い、安全性を確保することができる。
【００３０】
また、スライド棚７の格納を検知する手段として、スライド棚７が格納された状態の家電器具２の存在を検知する手段であることが好ましい。
【００３１】
このような構成とすることで、収納部３内に家電器具２が存在しているか、否かを検知することで、スライド棚７が格納されたか、否かを簡単に検知できる。
【発明の効果】
【００３２】
本発明は、上記のように構成したので、閉塞部材を開成、もしくはスライド棚を引き出して家電器具を使用するに当たって、高温加熱使用中に誤って閉塞部材を閉成、もしくはスライド棚を格納するのを防止して安全に家電器具の使用ができる。しかも、また、家電器具の高温加熱の使用が終わって、閉塞部材の閉成、もしくはスライド棚の格納をするに当たって、ロック解除をして安全性が確保された状態で閉塞部材の閉成、もしくはスライド棚の格納を可能とし、家電器具の電子部品の劣化や損傷を回避し、また、収納庫内の温度が常温に戻る時間を短縮でき、使い勝手上、極めて好適である。
【００３３】
また、使用状態検出手段が家電器具の運転電流を検出するものであったり、あるいは、収納部内の雰囲気温度もしくは家電器具の温度を検出するものであると、簡単且つ確実に家電器具の運転状態に応じた最も好ましいロック解除のタイミングを決めることができる。
【００３４】
また、閉塞部材の閉成、もしくはスライド棚の格納時に家電器具への通電を維持するか、もしくは閉塞部材の閉成もしくはスライド棚の格納時点から遅延させて、前記給電部に対して家電器具への通電遮断を行う通電開閉手段を備えることで、ロック解除後に、家電器具の冷却用ファン等の運転を継続したまま、閉塞部材の閉成、あるいはスライド棚の格納をして、家電器具を効果的に冷却し、家電器具の温度及び収納部内の温度を早く低下させることができ、より安全性を向上できると共に使い勝手も向上できる。
【００３５】
また、収納部の排気をするための排気ファンを設け、閉塞部材の閉成、もしくはスライド棚を格納した時点における収納部内の温度により、排気ファンを運転停止させるものにおいては、閉塞部材を閉成、もしくはスライド棚を格納した時点で、収納部内の温度が所定温度より高い場合は、排気ファンを運転して収納部内の温度を素早く低下させることができ、一方、スライド棚を格納した時点で収納部内の温度が所定の温度よりも低い場合は、排気ファンの運転を行わず、排気ファンの不必要な運転をせず、使い勝手を向上できる。
【００３６】
また、閉塞部材の閉成、もしくはスライド棚を格納後、家電器具への通電遮断をした時点で、通電遮断を報知するものにおいては、通電遮断により閉塞部材の開成、もしくはスライド棚を引き出した時点で”電気器具が使えない”状態であることを報知して、「停電中」であるにもかかわらず、調理作業に入ることを回避できる。
【００３７】
家電器具への通電遮断をした場合、再び、閉塞部材の開成、もしくはスライド棚を引き出したときに通電遮断を報知するものにおいては、スライド棚を引き出して、家電器具を使用再開する場合に、通電復帰を促すことができる。
【００３８】
また、ロック状態からロック解除状態になったことを報知するものにおいては、収納部への家電器具の収納が可能な安全状態になったことを報知でき、使い勝手がよくなる。
【００３９】
また、閉塞部材が所定以上の開成状態であるか、もしくはスライド棚が所定以上の引き出し状態であることを検知した後、使用状態検出手段が所定の状態を検知した時点でロックを行うようにすることで、閉塞部材が所定以上の開成状態であるか、もしくはスライド棚が所定以上の引き出し状態となり、使用状態検出手段が所定の状態を検知するとロックが自動的に行われて安全性を確保することができる。
【００４０】
また、スライド棚の格納を検知する手段として、スライド棚が格納された状態の家電器具の存在を検知する手段であるものにおいては、収納部内に家電器具が存在しているか、否かを検知することで、簡単且つ確実にスライド棚が格納されたか、否かを検知できる。
【発明を実施するための最良の形態】
【００４１】
以下、本発明を添付図面に示す実施形態に基いて説明する。
【００４２】
本発明の家電器具収納庫１は、家電器具２を収納する収納部３と、収納部３内に備えた家電器具２に電力を供給する給電部４と、家電器具２の使用状態を検出する使用状態検出手段５とを備えると共に、収納部３を閉塞開放自在とする扉やシャッター等の閉塞部材６か、もしくは家電器具２を載置し収納部３と使用側手前位置との間で引き出し格納自在とするスライド棚７の、いずれかもしくは両方を備えたものある。また、家電器具収納庫１は、上記閉塞部材６の開閉状態、もしくはスライド棚７の引き出し格納状態を検知する検知手段１２と、前記使用状態検出手段５による検出結果に基づいて、前記閉塞部材６の開成状態、もしくは、前記スライド棚７の引き出し状態を維持拘束させるロック手段８を備えている。更に、家電器具収納庫１には、ロック状態からロック解除状態への移行に当たり、前記使用状態検出手段５の検出結果に基づいて前記閉塞部材６の閉成もしくはスライド棚７の格納を遅延して行えるようにロック手段８を制御する制御手段９を備えている。
【００４３】
図１乃至図５には本発明の家電器具収納庫１の一実施例が示してあり、図２には本発明の一実施形態の制御ブロック図を示している。
【００４４】
図１には収納部３の前開口部を閉塞自在とする扉よりなる閉塞部材６を設けた例であり、検知手段１２として閉塞部材６の開閉を検知する開閉検知手段１２ａが設けてある。
【００４５】
収納部３には収納部３内に備えた家電器具２に電力を供給するための給電部４（代表的なものとしてコンセント）と、閉塞部材６を閉成した状態で、収納部３内の空気が外部と連通する吸気口１７と排気口１８とを備えた通気構造を有している。
【００４６】
また、家電器具収納庫１には更に、家電器具２の運転状態を検出するための使用状態検出手段５と、家電器具２への通電を遮断する通電開閉手段１と、収納部３内に家電器具２のような収納物が存在しているか否かを検知する収納物検知手段２５が設けてあり、更に、制御手段９が設けてある。
【００４７】
使用状態検出手段５は閉塞部材６を閉じた時点における家電器具２が複数の運転段階のうちのどの段階であるかを検出するためのものである。使用状態検出手段５としては、例えば、家電器具２に供給する電流（電力）を検出する通電電流（電力）検出手段１４や、収納部３内の温度を検出する温度検出手段１５があり、通電電流（電力）検出手段１４として通電電流（電力）検出手段１４と温度検出手段１５の両者を用いる場合と、通電電流（電力）検出手段１４又は温度検出手段１５のいずれか一方を用いる場合とがある。
【００４８】
上記通電電流（電力）検出手段１４は、例えば給電部４であるコンセントのコンセント回路で閉塞部材６開閉前後の電流（電力）を検知する。
【００４９】
収納物検知手段２５としては、例えば、赤外線反射式に代表される反射型センサ２５ａや、圧電素子を用いた重量センサ２５ｂ等を用いることができる。
【００５０】
上記構成の家電器具収納庫１には、閉塞部材６の開閉状態を維持拘束させるロック手段８が設けてあり、該ロック手段８としては例えば電磁ソレノイドが使用される。
【００５１】
このロック手段８は、開閉検知手段１２ａにより閉塞部材６が所定以上の開成状態であることを検知した後、使用状態検出手段５がロックに必要な所定の状態を検知した時点で自動的にロックを行うように制御される。また、ロック解除に当たっては、使用状態検出手段５の検出結果に基づいて使用状態検出手段５がロック解除に必要な所定の条件を検知した時点で自動的にロック解除を行うように制御される。
【００５２】
収納部３に収納される家電器具２とは電子レンジやオーブントースター等の加熱機能を備えたものである。
【００５３】
上記家電器具収納庫１は、家電器具２の使用に当たって、閉塞部材６を開いて家電器具２に通電して家電器具２を使用する。また、家電器具２の非使用時には閉塞部材６を閉じて、家電器具２が外部に露出しないようにしている。
【００５４】
ここで、本発明においては、閉塞部材６である扉を開くと、開閉検知手段１２ａで閉塞部材６が所定以上開成したことを検知する。このように閉塞部材６が所定以上開成したことを検知した後、使用状態検出手段５で加熱運転が開始されたことを検知すると、制御手段９からの制御信号でロック手段８が作動して、閉塞部材６が閉成できないようにする。添付図面に示す実施形態ではロック手段８を構成する電磁ソレノイドのプランジャに設けたロック棒８ａが収納部３の開口部よりも突出して閉塞部材６が閉成できないようになる。
【００５５】
従って、閉塞部材６を開成した状態で家電器具２の加熱運転を行っている間は閉塞部材６を誤って閉成しようとしても、閉成することができず、安全性を確保している。
【００５６】
上記閉塞部材６を開成した状態で家電器具２を加熱運転し、該加熱運転が終了すると、本発明においては、上記家電器具２の加熱運転が終了した後、直ちに、ロック解除が行われるのではなく、ロック手段８によるロック解除を、使用状態検出手段５の検出結果に基づいて上記加熱運転終了から遅延して行うようになっている。つまり、家電器具２の加熱運転後、閉塞部材６を閉じても安全上の問題がないという状況になるまでロック手段８によるロックを解除しないようになっている。
【００５７】
図３、図４、図５には具体的制御例の一実施形態が示してある。本実施形態においては、冷却用ファン１１を備えた家電器具２が、加熱運転状態、保温／冷却状態、待機状態、切・停電状態を有している場合の例である。ここで、本実施形態においては、保温／冷却状態、待機状態はいずれも非加熱運転状態である。
【００５８】
本例においては、加熱運転状態の際の電力Ｗｈが例えば１０００Ｗ、保温／冷却状態の際の電力Ｗｍが例えば２０Ｗ、待機状態の電力Ｗｌが例えば２Ｗ、切・停電状態の際の電力Ｗｏが０Ｗの場合である。
【００５９】
つまり、本例においては、家電器具２の運転状態と相関した電流値が、加熱運転状態では「高」、保温／冷却状態では「低」、待機状態では「微」、切・停電状態では「零」である。
【００６０】
まず、図３の制御フロー図に基づいて本実施形態の基本制御につき説明する。
【００６１】
なお、図３においては、閉塞部材６を用いた本実施形態及び後述の図６乃至図１０に示すスライド棚７を用いた他の実施形態における制御フロー図を示している。以下、閉塞部材６を用いた本実施形態においては、位置検知としては閉塞部材６の「開」、「閉」として説明する。
【００６２】
図３に示すように、本発明においては、通電電流（電力）検出手段１２による家電器具２への通電電流（電力）の電流値を常時監視して状態監視を行うようになっており、電流値の検知に基づいて家電器具２の状態判断が行われる。ここで、上記状態判断（例えば、上記のように、加熱運転状態、保温／冷却状態、待機状態、切・通電なし状態（つまり電流値が高、低、微、零）の認識は、家電器具２により異なる値であるため、このように段階があることを制御手段６は学習記憶して上記複数段階のどの段階であるかを認識するようになっている。
【００６３】
そして、使用開始時に、上記電流値が「高」、「低」、「微」、「零」のいずれであっても、温度検出手段１３により収納部３内の温度もしくは家電器具２の温度が「高」と検知されると、閉塞部材６の位置が「開」、「閉」のいずれであるかにかかわらず、また、収納物検知手段２５による収納物の検出の有無にかかわらず、ロック手段８のロックを解除し、更に、排気ファン１６をオンにし、通電開閉手段１０により通電遮断を行い、後述の報知手段１９により通電遮断を報知するようになっている。つまり、使用開始時に、収納部３内の温度もしくは家電器具２の温度が「高」と検知されれば、いかなるモードであっても異常と判断して安全制御に移り、ロック手段８を解除し、家電器具２への通電を即時遮断するようになっている。
【００６４】
また、使用開始時に電流値が「高」と検知され、収納部３内の温度もしくは家電器具２の温度（表面温度）が「中（〜Ｔ１）」、「低（〜）Ｔ０」、「室温」のいずれかであると検知され、閉塞部材６の位置が「開」であると検知された場合で、収納物検出手段１０で収納物が「有」と検知されるとロック手段８によりロックがなされ、通常運転となる。
【００６５】
一方、使用開始時に電流値が「高」と検知され、収納部３内の温度もしくは家電器具２の表面温度が「中（〜Ｔ１）」、「低（〜）Ｔ０」、「室温」のいずれかであると検知され、閉塞部材６の位置が「開」であると検知された場合で、収納物検出手段１０で収納物が「無」と検知されるとロック解除となる。そして、この場合は、家電器具収納庫１以外の所に設置した家電器具２の電源として家電器具収納庫１に設けた給電部４を使用しているとみなす。
【００６６】
また、軽負荷使用時に電流値が「低」、「微」、「零」のいずれかであると検知され、収納部３内の温度もしくは家電器具２の表面温度が「中（〜Ｔ１）」、「低（〜）Ｔ０」、「室温」のいずれかであると検知された場合は、閉塞部材６の位置が「開」、「閉」にかかわらず、また、収納物検知手段２５による収納物の検出の有無にかかわらず、ロック手段８のロックを解除する。この場合は、家電器具収納庫１以外の所に設置した家電器具２の電源として家電器具収納庫１に設けた給電部４を使用しているか、もしくは、保温運転程度の軽負荷使用であるとみなす。
【００６７】
図３の制御フローにおいて、通常運転時に、電流値が「高」と検知され、収納部３内の温度もしくは家電器具２の表面温度が「高」もしくは「中（〜Ｔ１）」と検知され、閉塞部材６が「開」と検知され、収納物が「有」と検知されると、ロック手段８によりロックを行う。
【００６８】
また、通常運転時に、電流値が「低」、「微」、「零」のいずれかであると検知され、収納部３内の温度もしくは家電器具２の表面温度が「低（〜）Ｔ０」、「室温」のいずれかであると検知され、閉塞部材６が「開」と検知され、収納物が「有」と検知されると、ロック手段８によるロック解除を行って、閉塞部材６を閉じることが可能な状態にし、終了制御に移行する。
【００６９】
終了制御に移行した場合、収納部３内の温度もしくは家電器具２の表面温度が一時的に「高」となる場合がある。
【００７０】
このように、終了制御において、収納部３内の温度もしくは家電器具２の表面温度が「高」と検知され、更に、閉塞部材６が「閉」と検知されると、収納物の「有」、「無」にかかわらず、異常であると判断して、排気ファン８をオンにし、家電器具２への通電遮断を行い、後述の報知手段１９により通電遮断を報知するようになっている。
【００７１】
また、この終了制御において、収納部３内の温度もしくは家電器具２の表面温度が「中（〜Ｔ１）」、「低（〜）Ｔ０」、「室温」のいずれかであると、閉塞部材６の正常な「閉」であるので、家電器具２への通電遮断の必要はなく、使用開始に戻る。しかしながら、この閉塞部材６を使用する場合は、上記のような正常な「閉」であっても、安全のため閉塞部材６の「閉」時には必ず通電遮断を行い、後述の報知手段１９により通電遮断を報知するようにしてもよい。
【００７２】
図４、図５には、図３に示す制御フローにおける通常運転時に、家電器具２に通電して１０００Ｗで加熱運転状態が終了し、引き続き冷却運転になっている状態で、閉塞部材６を閉じる場合のタイムチャートが示してある。
【００７３】
すなわち、閉塞部材６を開成した状態で通常運転時に、家電器具２に通電して１０００Ｗの加熱運転を行うと、使用状態検出手段５で通電電流（電力）を見て加熱運転であることを認識してロック手段８によるロックが行われる。この加熱運転が終了すると、続いて図４に示すように冷却用ファン１１を運転している冷却運転となる。冷却運転になると電流値が「低」になり、使用状態検出手段５でこれを検出するが、本実施形態においては、電流値が「高」から「低」になっただけでは直ちにロック手段８のロック解除は行われない。
【００７４】
すなわち、上記のように、閉塞部材６を開成した状態で上記加熱運転をすると、家電器具２からの発熱により収納部３内の温度も上昇するが、冷却用ファン１１で家電器具２を冷却していくと、収納部３内の温度も低下していく。そこで、使用状態検出手段５である温度検出手段１５により上記収納部３内の温度もしくは家電器具２の温度（表面温度）を監視し、収納部３内の温度もしくは家電器具２の表面温度が安全温度である所定温度Ｔ０（例えば４０℃）まで低下し、これを温度検出手段１５で検出すると、該検出結果に基づいて制御手段９によりロック手段８によるロックを解除する（実施形態ではロック棒８ａが後退する）のである。つまり、本実施形態においては、使用状態検出手段５で電流、温度の双方を監視し、電流値が「低」で、収納部３内の温度もしくは家電器具２の表面温度が所定温度Ｔ０になった時点で、ロック解除を行うようになっている。図４、図５には収納部３内の温度変化と、家電器具２の表面温度の温度変化とが示してあり、収納部３内の温度変化が２点鎖線で示してあり、家電器具２の表面温度の温度変化が実線で示してある。
【００７５】
上記のようにしてロック解除を行うことで、閉塞部材６を閉成することが可能となる。
【００７６】
ここで、ロック解除がなされた直後に、閉塞部材６を閉成すると、開閉検知手段１２ａにより閉塞部材６の閉成が検知される。この場合、家電器具２は未だ十分に冷却されていないので、冷却用ファン１１の運転を継続しているといえども家電器具２からの放熱で図４、図５のように、収納部３内の温度や家電器具２の温度が上昇するが、閉塞部材６が閉成された状態で収納部３内の温度や家電器具２の温度が上昇しても図４のように、ある設定温度Ｔ１（例えば７０℃）未満の場合は、排気ファン１６の運転は行わない。
【００７７】
一方、閉塞部材６が閉成された状態で収納部３内の温度もしくは家電器具２の表面温度が急激に上昇してある設定温度Ｔ１（例えば７０℃）以上になると、図５のように、排気ファン１６の運転を行い、収納部３内の温度がロック解除をした際の温度である所定温度Ｔ０（例えば４０℃）になると排気ファン１６の運転停止を行うように制御する。
【００７８】
このように、収納部３の排気をするための排気ファン１６を設け、閉塞部材６を閉成した状態における収納部３内の温度に基づいて、排気ファン１６を運転しない、あるいは運転するという制御を行うことで、閉塞部材６を閉成した時点で、収納部３内の温度もしくは家電器具２の表面温度が所定温度より高い場合は、排気ファン１６を運転して収納部３内の温度を素早く低下させることができ、一方、閉塞部材６を閉成した時点で、収納部３内の温度もしくは家電器具２の表面温度よりも低い場合は、排気ファン１６の運転を行わず、排気ファン１６の不必要な運転をしないようにできる。
【００７９】
ところで、通常の使用に当たっては、加熱運転終了後、冷却用ファン１１の運転の途中で、ロック手段８によるロックが解除されても直ちに閉塞部材６を閉成することは少ないが、収納部３内を見せたくないといった場合等は、冷却用ファン１１の運転の途中で、ロック手段８によるロックが解除された直後、あるいはロック解除後にしばらくして閉塞部材６を閉成する場合がある。
【００８０】
この場合、前述のように、加熱運転終了後、ロック解除を遅延させて行うようにしているので、安全性は確保されるが、ロック解除直後に閉塞部材６を閉じると収納部３内に熱がこもり、図４や図５のように収納部３内の温度や家電器具２の表面温度がロック解除の際の温度である所定温度Ｔ０（例えば４０℃）よりも高くなり、家電器具２の冷却や収納部３内が常温に戻るのに時間がかかるとともに、家電器具の電子部品にとっても好ましいものではない。
【００８１】
また、閉塞部材６を閉塞した場合、収納部３内で何が起きているかが確認できないという問題もある。
【００８２】
そこで、本発明においては、ロック解除がなされた後、閉塞部材６を閉成すると、開閉検知手段１２ａにより閉塞部材６の閉塞を検知し、通電開閉手段１０により、閉塞部材６の閉成時に家電器具２への通電を維持するか、もしくは閉塞部材６の閉成から遅延させて、前記給電部４に対して家電器具２への通電遮断を行うようになっている。
【００８３】
つまり、図４、図５に示すように、ロック解除を行った後も、冷却用ファン１１の運転はタイマーで設定された所定時間経過するまで（又は家電器具２の温度が所定温度に低下するまで）継続され、所定時間経過又は家電器具２が所定温度まで低下すると、冷却用ファン１１の運転を停止し、引き続いて家電器具２は待機状態になり、この待機状態を維持するか、又は待機状態を経てロック解除から遅延して通電遮断を行うか、又はロック解除から遅延して直接通電遮断を行う。
【００８４】
これにより、本実施形態においては、加熱運転終了後、遅延させてロック解除をした直後に、仮に閉塞部材６を収納しても、家電器具２の冷却用ファン１１等の運転を継続して、閉塞部材６を遮蔽したことによる家電器具２の温度及び収納部３内の温度を早く低下させることができ、しかも、ロック解除後に遅延させて通電遮断することで、不測のトラブルを未然に防止することができて、より安全性を向上することができる。
【００８５】
この場合、上記制御は、閉塞部材６を閉成した際に必ず行うようにしてもよく、また、ロック解除後、閉塞部材６の閉成以降の収納部３内の温度もしくは家電器具２の表面温度を温度検出手段１５により監視し、収納部３内の温度もしくは家電器具２の表面温度が上記ロック解除のための安全温度であるある所定温度Ｔ０以上のある設定温度以上となると上記の制御を行うようにしてもよい。
【００８６】
また、本発明においては、すでに図３の制御フロー図の説明で述べたように、ロック解除後のいかなる状態であっても、収納部３内の温度がある設定温度Ｔ１（例えば７０℃）を超える状態であれば、異常であると認識して家電器具２への通電を直ちに遮断するように制御して安全性を向上するようになっている。
【００８７】
本実施形態の場合、上記のようにロック解除がなされた後に閉塞部材６の閉成後、家電器具２への通電遮断をした時点で、通電遮断を報知することが好ましい。
【００８８】
すなわち、家電器具収納庫１にランプ又はブザー、あるいはこの両方よりなる報知手段１９を設け、ロック解除がなされた直後に上記のように閉塞部材６を閉成すると、前述のようにロック解除後遅延して家電器具２への通電遮断をした時点で、制御手段９により報知手段１９で通電遮断を報知するように制御する。
【００８９】
これにより、家電器具２への通電が遮断されて”電気器具２が使えない”状態であることを使用者に早く報知することができる。
【００９０】
また、家電器具２への通電遮断をした場合、再び、閉塞部材６を開成したときに報知手段１９により報知するようにしてもよい。これにより、閉塞部材６を開成して、家電器具２の使用再開をする場合に、通電復帰を促すことができる。
【００９１】
また、家電器具収納庫１に報知手段１９を設けるものにおいては、上記ロック状態からロック解除状態に移行した際に、ロック解除と同時に報知手段１９によりロック解除になったことを報知するようにしてもよい。この場合は、収納部３への家電器具２の収納が可能な安全状態になったことを報知でき、報知以降は、いつでも安心して閉塞部材６を閉成することができ、使い勝手がよくなる。
【００９２】
また、図４、図５に示す実施形態では、使用状態検出手段１５である通電電流（電力）検出手段１４で加熱運転が終了し、続いて冷却用ファン１１の運転による冷却運転となったことを検知し、更に、使用状態検出手段５である温度検出手段１５で収納部３内の温度もしくは家電器具２の表面温度がある設定温度Ｔ０まで低下した時点でロック手段８によるロックを解除するようにした例を示したが、必ずしも、これにのみ限定されるものではない。
【００９３】
加熱運転が終了してもロック手段８によるロックが行われている状態で、使用状態検出手段５である通電電流（電力）検出手段１４により、家電器具２に供給する電流（電力）を検出し、家電器具２の電流値が加熱運転の際の電流値よりも低い所定電流値になると、ロック手段８によるロックを解除して閉塞部材６の閉成を可能とする。
【００９４】
上記ロック解除をするための所定電流値とは、例えば、家電器具２の電流値が微小又は零が考えられる。つまり、加熱運転が終了し、引き続いて冷却用ファン１１が運転して家電器具２の冷却を行うのであるが、この冷却用ファン１１の運転中の電流値は「低」（例えば２０Ｗ）であり、冷却用ファン１１の運転が終了すると、家電器具２は待機状態、又は待機状態を経て切、または切に移行するので、この待機状態又は切における家電器具２の電流値「微」（例えば２Ｗ）又は「零」となると、ロック手段８によるロック解除を行うようにしてもよい。
【００９５】
このように、遅延してロック解除するに当って、ロック解除のタイミングを、電流値が微小又は零となる時点で行うと、冷却用ファン１１の運転が終了して家電器具２が十分に冷却された後にロック解除がなされることになり、簡単に安全性を確保してロック解除を行うことができることになる。
【００９６】
また、収納部３内の温度を検知するのみで収納部３内の温度もしくは家電器具２の表面温度がある設定温度Ｔ０まで低下したことを使用状態検出手段５である温度検出手段１５で検知した時点でロック手段８によるロックを解除するようにしてもよい。
【００９７】
なお、上記した実施形態においては収納物検知手段２５を用いた例で説明したが、本発明においては、収納物検知手段２５を設けない場合であってもよい。
【００９８】
次に、本発明の他の実施形態を図６乃至図１０に基づいて説明する。本実施形態は、家電器具収納庫１に、家電器具２を載置するスライド棚７を設けた例であり、スライド棚７と閉塞部材６とが異なる点を除けば、他の基本的な構成は前述の閉塞部材６を設けた実施形態と同じである。したがって、前述の実施形態と同じ構成のものには同じ符号を付け、重複する説明は省略し、以下は、異なる点を中心に説明する。
【００９９】
本実施形態においては、図６、図７に示すように、収納部３の底部にはスライドレール２１が設けてあり、該スライドレール２１を介してスライド棚７が収納部３に対して移動自在となっており、これによりスライド棚７が収納部３から引き出され、且つ、収納部３内に格納される。
【０１００】
検知手段１２は、スライド棚２の引き出しを検知する機能と、格納を検知する機能を備えたスライド棚位置検知手段１２ｂにより構成してある。
【０１０１】
図６にはスライド棚位置検知手段１２ｂの一実施形態が示してあり、スライド棚７の前部と後部にそれぞれ第１磁石２０ａ、第２磁石２０ｂを設け、収納部３の上記スライド棚７の移動範囲の前部に第１磁気スイッチ２０ｃ、第２磁気スイッチ２０ｄを設けることでスライド棚位置検知手段１２ｂを構成している例である。
【０１０２】
本実施形態においては、スライド棚７を収納部３内に格納すると第１磁石２０ａが第１磁気スイッチ２０ｃに近接して第１磁気スイッチ２０ｃを作動することで格納状態を検出し、スライド棚７を収納部３から引き出すと第１磁石２０ａが第１磁気スイッチ２０ｃから離れ、第２磁石２０ｂが第２磁気スイッチ２０ｄに近接して第２磁気スイッチ２０ｄが作動することで引き出し状態を検出するようになっている。
【０１０３】
本実施形態では、スライド棚位置検知手段１２ｂによるスライド棚２の位置検出をスライド方向の２箇所で行うように構成してある。そして、この実施形態においては、完全格納状態、完全引き出し状態を検出できるだけでなく、第１磁石１１ａが第１磁気スイッチ１１ｃに近接して第１磁気スイッチ１１ｃをオンにしている状態から、スライド棚２を引き出し方向に移動することで第１磁石１１ａが第１磁気スイッチ１１ｃから離れてオフになると、つまり、引き出し方向への移動の途中位置であっても、「スライド棚２の引き出し」とみなして引き出しと認識させ、後述のロック手段８によるロックを行うようにしてもよい。
【０１０４】
また、スライド棚２を完全に収納部３に格納された状態と完全に引き出された位置で磁気スイッチや磁石が近接する例にのみ限定されず、スライド棚２を完全に収納部３に格納された状態と完全に引き出された状態との間の中間の任意の位置で、上記格納や引き出しを検出するようにしてもよい。例えば、スライド棚２が半分だけ格納されたことを検知して、格納とみなすようにしてもよい。
【０１０５】
使用状態検出手段５はスライド棚７を格納した時点における家電器具２が複数の運転段階のうちのどの段階であるかを検出するためのものであり、使用状態検出手段５としては、前述の実施形態と同様、例えば、家電器具２に供給する電流（電力）を検出する通電電流（電力）検出手段１４や、収納部３内の温度もしくは家電器具２の温度（表面温度）を検出する温度検出手段１５があり、そのいずれか、又は両方を用いる。
【０１０６】
図６、図７に示す実施形態においては、温度検出手段１４は、家電器具２の表面温度を検出するための赤外線による物体表面温度検出センサにより構成してある。該家電器具２の表面温度を検出するための温度検出手段１４は収納部３の天井部に設けてあり、スライド棚７を格納した状態、引き出した状態のいずれの場合も、該収納部３の天井部に設けた温度検出手段１４によりスライド棚７上に載置してある家電器具２の表面温度を検出できるように、その検出エリアを設定してある。
【０１０７】
家電器具収納庫１には、スライド棚７の引き出し状態を維持拘束させるロック手段８が設けてあり、該ロック手段８としては例えば電磁ソレノイドが使用される。
【０１０８】
また、本実施形態において家電器具収納庫１に設けた収納物検知手段２５は、スライド棚７上に家電器具２のような収納物が存在してあるか否かを検知するようになっている。
【０１０９】
図６には収納物検知手段２５として赤外線反射式に代表される反射型センサ２５ａを用いた例が示してあり、図７には収納物検知手段２５として圧電素子を用いたや重量センサ２５ｂを用いた例が示してある。
【０１１０】
なお、収納物検知手段２５が赤外線センサのような反射型センサ２５ａの場合、この収納物検知手段２５をスライド棚位置検知手段１２ｂとしてもよく、また、スライド棚位置検知手段１２ｂとして、前述の磁石、磁気スイッチを用いたものと、収納物検知手段２５とを併用するようにしてもよい。
【０１１１】
スライド棚７には電子レンジやオーブントースター等の加熱機能を備えた家電器具２が載置され、非使用時にはスライド棚７を収納部３内に格納することで収納してある。
【０１１２】
上記スライド棚７に載置して家電器具収納庫１の収納部３内に収納している家電器具２の使用に当たっては、スライド棚７を引き出して家電器具２に通電して家電器具２を加熱運転して使用する。
【０１１３】
ここで、本実施形態においては、スライド棚７を引き出すと、スライド棚位置検知手段１２ｂでスライド棚７が所定以上引き出されたことを検知し、その後、使用状態検出手段５で加熱運転が開始されたことを検知すると、制御手段９からの制御信号でロック手段８が作動して、スライド棚７を格納できないようにする。
【０１１４】
添付図面に示す実施形態ではロック手段８を構成する電磁ソレノイドのプランジャに設けたロック棒が引き出されたスライド棚７のすぐ後方に突出してスライド棚７を格納する方向に向けて移動させることができないようになる。
【０１１５】
従って、スライド棚７を引き出した状態で家電器具２の加熱運転を行っている間はスライド棚７を誤って格納しようとしても、格納することができず、安全性を確保している。
【０１１６】
上記スライド棚７を引き出した状態で家電器具２を加熱運転し、該加熱運転が終了すると、本実施形態においては、上記家電器具２の加熱運転が終了した後、直ちに、ロック解除が行われるのではなく、ロック手段８によるロック解除を、使用状態検出手段５の検出結果に基づいて上記加熱運転終了から遅延して行うようになっている。つまり、家電器具２の加熱運転後、スライド棚７を格納しても安全上の問題がないという状況になるまでロック手段８によるロックを解除しないようになっている。
【０１１７】
本実施形態の制御フロー図は前述の図３に示す制御フロー図と同じであるので説明は省略する。但し、本実施形態においては、スライド棚７を用いた実施形態であるので、前述の図３の制御フロー図の説明において、閉塞部材６をスライド棚７に読み替え、位置検知の「開」、「閉」を「引出」、「（中間）」、「格納」と読み替えるものとする。
【０１１８】
図９、図１０には、図３に示す制御フローにおける通常運転時に、家電器具２に通電して１０００Ｗで加熱運転状態が終了し、引き続き冷却運転になっている状態で、スライド棚７を閉じる場合のタイムチャートが示してある。
【０１１９】
本実施形態においてはスライド棚７を引き出した状態で家電器具２に通電して１０００Ｗの加熱運転を行うと、使用状態検出手段５で通電電流（電力）を見て加熱運転であることを認識してロック手段８によるロックが行われる。この加熱運転が終了すると、続いて冷却用ファン１１を運転している冷却運転となる。冷却運転になると電流値が「低」になり、使用状態検出手段５でこれを検出するが、本実施形態においては、図９、図１０に示すように、電流値が「高」から「低」になっただけでは直ちにロック手段８のロック解除は行われない。
【０１２０】
すなわち、上記のように、スライド棚７を引き出した状態で上記加熱運転をし、加熱運転終了後、冷却運転になっても直ぐには家電器具２の温度は低下しない。したがって、家電器具２の加熱運転終了直後にロック解除をしてスライド棚７を格納可能にすると、高温状態の家電器具２が収納部３内に格納されるおそれがある。したがって高温状態の家電器具２が安全な温度まで低下した状態になってはじめて格納が可能となるように、温度検出手段１５により家電器具２の温度（表面温度）を監視し、家電器具２の表面温度が所定温度Ｔ０（例えば４０℃）まで低下したことを検出すると、該検出結果に基づいて制御手段９により図９、図１０に示すように、ロック手段８によるロックを解除する。つまり、本実施形態においては、使用状態検出手段５で電流、温度の双方を監視し、電流値が「弱」で、家電器具２の表面温度が所定温度Ｔ０になった時点で、ロック解除を行うようになっている。このようにロック解除を行うことで、スライド棚７を格納することが可能となる。
【０１２１】
ここで、ロック解除がなされた直後に、スライド棚７を収納部３内に格納すると、スライド棚位置検知手段１２ｂでスライド棚７が格納されたことが検知される。この場合、家電器具２は未だ十分に冷却されていないので、冷却用ファン１１の運転を継続しているといえども格納により家電器具２の表面温度が一時的に上昇し、また、収納部３内の温度も上昇する。しかしながら、家電器具２の表面温度や収納部３内の温度が上昇しても、収納部３内の温度もしくは家電器具２の表面温度が図９のように設定温度Ｔ１（例えば７０℃）未満の場合は、排気ファン１６の運転は行わない。
【０１２２】
一方、収納部３内の温度もしくは家電器具２の表面温度が急激に上昇してある設定温度Ｔ１（例えば７０℃）以上になると、図１０のように、排気ファン１６の運転を行い、収納部３内の温度もしくは家電器具２の表面温度がロック解除をした際の温度である所定温度Ｔ０（例えば４０℃）になると排気ファン１６の運転停止を行うように制御する。
【０１２３】
このように、収納部３の排気をするための排気ファン１６を設け、スライド棚７を格納した時点における収納部３内の温度もしくは家電器具２の表面温度に基づいて、排気ファン１６を運転しない、あるいは運転するという制御を行うことで、スライド棚７を格納した時点で、収納部３内の温度もしくは家電器具２の表面温度が所定温度より高い場合は、排気ファン１６を運転して家電器具２が格納されている収納部３内の温度を素早く低下させることができ、一方、スライド棚７を格納した時点で、収納部３内の温度もしくは家電器具２の表面温度が所定温度よりも低い場合は、排気ファン１６の運転を行わず、排気ファン１６の不必要な運転をしないようにできる。
【０１２４】
本実施形態においても前述の実施形態と同様、上記のようにロック解除直後にスライド棚７を格納し、スライド棚位置検知手段１２ｂによりスライド棚７の格納を検知し、通電開閉手段１０により、スライド棚７の格納時に家電器具２への通電を維持するか、もしくはスライド棚７の格納から遅延させて、前記給電部４に対して家電器具２への通電遮断を行うようになっている。但し、本実施形態においては、ロック解除で安全な状態となっており、且つ、スライド棚７を格納しても収納部３の前開口が開いているため、スライド棚７の格納から遅延させて通電遮断を行うという場合における遅延とは、∞の遅延（つまり通電を維持する）という制御になる。
【０１２５】
もちろん、本実施形態においても、ロック解除後のいかなる状態であっても、収納部３内の温度がある設定温度Ｔ１（例えば７０℃）を超える状態であれば、家電器具２への通電を直ちに遮断するように制御して安全性を向上するようになっている。
【０１２６】
また、本実施形態においても、前述の実施形態と同様に、上記のようにロック解除がなされた後にスライド棚７の格納後、家電器具２への通電遮断をした時点で、通電遮断を報知するようにしてもよい。
【０１２７】
これにより、家電器具２への通電が遮断されて”電気器具２が使えない”状態であることを使用者に早く報知することができる。
【０１２８】
また、家電器具２への通電遮断をした場合、再び、スライド棚７を引き出したときに報知手段１９により報知するようにしてもよい。これにより、スライド棚７を引き出して、家電器具２の使用再開をする場合に、通電復帰を促すことができる。
【０１２９】
また、本実施形態においても、上記ロック状態からロック解除状態に移行した際に、ロック解除と同時に報知手段１９によりロック解除になったことを報知するようにしてもよい。この場合は、収納部３への家電器具２の収納が可能な安全状態になったことを報知でき、報知以降は、いつでも安心してスライド棚７を格納することができ、使い勝手がよくなる。
【０１３０】
また、スライド棚７を引き出し、格納自在としたものにおいても、加熱運転が終了してもロック手段８によるロックが行われている状態で、使用状態検出手段５である通電電流（電力）検出手段１４により、家電器具２に供給する電流（電力）を検出し、家電器具２の電流値が加熱運転の際の電流値よりも低い所定電流値になると、ロック手段８によるロックを解除してスライド棚７の格納を可能とするようにしてもよい。
【０１３１】
例えば、加熱運転終了後に遅延してロック解除するに当って、ロック解除のタイミングを、電流値が微小又は零となる時点で行うようにする。この場合は、冷却用ファン１１の運転が終了して家電器具２が十分に冷却された後にロック解除がなされることになり、簡単に安全性を確保してロック解除を行うことができることになる。
【０１３２】
なお、図示を省略しているが、家電器具収納庫１に扉やシャッタ等の閉塞部材６で開口部を遮蔽自在とした収納部３と、スライド棚７を引き出し、格納自在に設けた収納部３との両方を備えたものにおいて、前述の各実施形態で説明したような制御を行ってもよい。
【０１３３】
なお、本実施形態では、発熱手段を備えた加熱調理家電器具を用いた場合の安全保護手段としているが、ジューサーミキサーや電機掃除機や電気除湿機等の、回転や冷却手段を有した家電器具の収納時に、電源プラグがコンセントに差し込まれた状態で放置されても、一定時間もしくは、一定の運転状態の経過後に通電を全て遮断することができ、使用時の利便性を残しつつ安全な収納状態を提供でき、好適である。
【図面の簡単な説明】
【０１３４】
【図１】本発明の一実施形態の概略構成図である。
【図２】同上の制御ブロック図である。
【図３】同上の制御フロー図である。
【図４】同上のロック解除直後に閉塞部材を閉塞した通常の場合の例を示すタイムチャートである。
【図５】同上のロック解除直後に閉塞部材を閉塞した場合で且つ収納部内の温度が急激に上昇した場合のタイムチャートである。
【図６】本発明の他の実施形態において赤外線センサを設けた例の概略構成図である。
【図７】本発明の他の実施形態において重量センサを設けた例の概略構成図である。
【図８】同上の制御ブロック図である。
【図９】同上のロック解除直後にスライド棚を格納した通常の場合の例を示すタイムチャートである。
【図１０】同上のロック解除直後にスライド棚を格納した場合で且つ収納部内の温度が急激に上昇した場合のタイムチャートである。
【符号の説明】
【０１３５】
１  家電器具収納庫
２  家電器具
３  収納部
４  給電部
５  使用状態検出手段
６  閉塞部材
７  スライド棚
８  ロック手段
９  制御手段
１０  通電開閉手段
１１  冷却用ファン
１２  検知手段
１６  排気ファン
【図１】
2010131190.tif 000003
【図２】
2010131190.tif 000004
【図３】
2010131190.tif 000005
【図４】
2010131190.tif 000006
【図５】
2010131190.tif 000007
【図６】
2010131190.tif 000008
【図７】
2010131190.tif 000009
【図８】
2010131190.tif 000010
【図９】
2010131190.tif 000011
【図１０】
2010131190.tif 000012